(57)【要約】【課題】コンパクトで、しかも容易に調整可能な最適凝集汚泥にて効果的に濃縮することを可能ならしめる汚泥濃縮設備を提供する。【解決手段】汚泥と凝集剤とを混合する汚泥凝集装置３から供給される、凝集剤が添加された凝集汚泥を濃縮するベルト型濃縮機６を備えた汚泥濃縮設備１の前記汚泥凝集装置３を、汚泥と凝集剤を混合し、凝集汚泥を生成するラインミキサー４と、汚泥供給ライン２を介して前記ラインミキサー４から排出された凝集汚泥を受入れ、受入れた凝集汚泥を攪拌して成長させる凝集混和槽５とから構成する。【選択図】図１
2007229545.tif 000002
【特許請求の範囲】
【請求項１】
汚泥と凝集剤とを混合する汚泥凝集装置から供給される、凝集剤が添加された凝集汚泥を濃縮する濃縮機を備えた汚泥濃縮設備において、前記汚泥凝集装置は、汚泥と凝集剤を混合し、凝集汚泥を生成するラインミキサーと、汚泥供給ラインを介して前記ラインミキサーから排出された凝集汚泥を受入れ、受入れた凝集汚泥を攪拌して成長させる凝集混和槽とからなることを特徴とする汚泥濃縮設備。
【請求項２】
前記濃縮機は、一対のローラに掛装されて循環される脱水機能を有する無端状のベルトを備えてなるベルト型濃縮機であることを特徴とする請求項１に記載の汚泥濃縮設備。
【請求項３】
前記凝集混和槽は、前記ベルトの凝集汚泥供給口側に、前記一対のローラを支持するベルト型濃縮機の本体フレームと一体的に構成され、かつ凝集汚泥を前記ベルトの方向に略水平流動させるように構成されてなることを特徴とする請求項２に記載の汚泥濃縮設備。
【請求項４】
前記凝集混和槽は、所定時間滞留する間に凝集汚泥を生成させて上昇させると共に、上昇させた凝集汚泥を前記ベルト上に供給するように構成されてなることを特徴とする請求項２または３のうちの何れか一つの項に記載の汚泥濃縮設備。
【請求項５】
ラインミキサーにより、このラインミキサーに流入する汚泥に凝集剤を添加・混合して生成させた凝集汚泥を凝集混和槽に供給し、この凝集汚泥を凝集混和槽内で攪拌しながら、かつ上昇させながら所定時間滞留させて成長させた後、濃縮機に供給して濃縮することを特徴とする汚泥濃縮方法。
【請求項６】
前記濃縮機は、一対のローラに掛装されて循環される脱水機能を有する無端状のベルトを備えてなるベルト型濃縮機であり、前記凝集汚泥を前記ベルト上に供給することを特徴とする請求項５に記載の汚泥濃縮方法。
【請求項７】
前記凝集汚泥を前記ベルト上に供給するに際して、凝集混和槽内で攪拌しながら、かつ上昇させながら所定時間滞留させて成長させた凝集汚泥を前記ベルト方向に向って略水平流動させることを特徴とする請求項６に記載の汚泥濃縮方法。
【請求項８】
前記凝集混和槽における凝集汚泥の滞留時間は、２０〜６０秒であることを特徴とする請求項５乃至７のうちの何れか一つの項に記載の汚泥濃縮方法。
【発明の詳細な説明】
【技術分野】
【０００１】
本発明は、汚泥濃縮設備の改善に係り、より詳しくは、コンパクトで、しかも凝集剤の添加量が少ない汚泥であっても効果的に濃縮することを可能ならしめるようにした汚泥濃縮設備および汚泥濃縮方法に関するものである。
【背景技術】
【０００２】
下水処理場等から発生する汚泥は、汚泥濃縮設備や汚泥脱水設備等によって濃縮あるいは脱水して処理されている。通常、汚泥に高分子凝集剤(以下、凝集剤という)を添加して混合（混和）すると共に、凝集剤の混合（混和）により凝集したフロックを含む凝集汚泥を濃縮処理している。汚泥濃縮設備としては、例えば、一対のローラに掛装されて循環される透水機能を有する無端状のベルトにより濃縮するベルト型濃縮機があり、このベルト型濃縮機による汚泥濃縮処理に際しての汚泥と凝集剤との混合（混和）は、撹拌機能を備えた汚泥凝集装置として、ラインミキサー（ライン薬注装置）単独または凝集混和槽単独により行われている（例えば、特許文献１参照）。
【特許文献１】特開２００４−２４９６３号公報
【発明の開示】
【発明が解決しようとする課題】
【０００３】
上記従来例に係る汚泥濃縮設備の汚泥凝集装置（凝集混和槽、またはラインミキサー）によれば、汚泥と凝集剤を混合することができるから有用であると考えられる。ところが、凝集混和槽では汚泥と凝集剤との混合に、通常３分程度の時間を要することから大容量のものが必要である。また、ラインミキサーでは、汚泥と凝集剤との混合は短時間（１０秒程度）で行われるが、攪拌強度の調整範囲が狭いために、最適な凝集汚泥を調整することが難しい。
【０００４】
即ち、従来例に係る汚泥濃縮設備の場合にあっては、凝集混和槽、またはラインミキサーに凝集剤が供給される構成である。凝集混和槽においては、汚泥と凝集剤の混合および凝集汚泥の形成に大きなスペースを要するために、汚泥濃縮設備のコンパクト化が困難であり、汚泥濃縮設備のイニシャルコストの低減が難しいという問題がある。また、ラインミキサーにおいては、最適な凝集汚泥を調整することが難しく、濃縮機の最良な性能を発揮することが難しいという問題がある。
【０００５】
従って、本発明の目的は、コンパクトで、しかも容易に調整可能な最適凝集汚泥にて効果的に濃縮することを可能ならしめるようにした汚泥濃縮設備および汚泥濃縮方法を提供することである。
【課題を解決するための手段】
【０００６】
本発明は上記実情に鑑みてなされたものであって、従って、上記課題を解決するために本発明の請求項１に係る汚泥濃縮設備が採用した手段は、汚泥と凝集剤とを混合する汚泥凝集装置から供給される、凝集剤が添加された凝集汚泥を濃縮する濃縮機を備えた汚泥濃縮設備において、前記汚泥凝集装置は、汚泥と凝集剤を混合し、凝集汚泥を生成するラインミキサーと、汚泥供給ラインを介して前記ラインミキサーから排出された凝集汚泥を受入れ、受入れた凝集汚泥を攪拌して成長させる凝集混和槽とからなることを特徴とするものである。
【０００７】
本発明の請求項２に係る汚泥濃縮設備が採用した手段は、請求項１記載の汚泥濃縮設備において、前記濃縮機は、一対のローラに掛装されて循環される脱水機能を有する無端状のベルトを備えてなるベルト型濃縮機であることを特徴とするものである。
【０００８】
本発明の請求項３に係る汚泥濃縮設備が採用した手段は、請求項２に記載の汚泥濃縮設備において、前記凝集混和槽は、前記ベルトの凝集汚泥供給口側に、前記一対のローラを支持するベルト型濃縮機の本体フレームと一体的に構成され、かつ凝集汚泥を前記ベルトの方向に略水平流動させるように構成されてなることを特徴とするものである。
【０００９】
本発明の請求項４に係る汚泥濃縮設備が採用した手段は、請求項２または３のうちの何れか一つの項に記載の汚泥濃縮設備において、前記凝集混和槽は、所定時間滞留する間に凝集汚泥を生成させて上昇させると共に、上昇させた凝集汚泥を前記ベルト上に供給するように構成されてなることを特徴とするものである。
【００１０】
本発明の請求項５に係る汚泥濃縮方法が採用した手段は、ラインミキサーにより、このラインミキサーに流入する汚泥に凝集剤を添加・混合して生成させた凝集汚泥を凝集混和槽に供給し、この凝集汚泥を凝集混和槽内で攪拌しながら、かつ上昇させながら所定時間滞留させて成長させた後、濃縮機に供給して濃縮することを特徴とするものである。
【００１１】
本発明の請求項６に係る汚泥濃縮方法が採用した手段は、前記濃縮機は、一対のローラに掛装されて循環される脱水機能を有する無端状のベルトを備えてなるベルト型濃縮機であり、前記凝集汚泥を前記ベルト上に供給することを特徴とするものである。
【００１２】
本発明の請求項７に係る汚泥濃縮方法が採用した手段は、請求項６に記載の汚泥濃縮方法において、前記凝集汚泥を前記ベルト上に供給するに際して、凝集混和槽内で攪拌しながら、かつ上昇させながら所定時間滞留させて成長させた凝集汚泥を前記ベルト方向に向って略水平流動させることを特徴とするものである。
【００１３】
本発明の請求項８に係る汚泥濃縮方法が採用した手段は、請求項５乃至７のうちの何れか一つの項に記載の汚泥濃縮方法において、前記凝集混和槽における凝集汚泥の滞留時間は、２０〜６０秒であることを特徴とするものである。
【発明の効果】
【００１４】
本発明の請求項１に係る汚泥濃縮設備または請求項５に係る汚泥濃縮方法によれば、凝集混和槽で攪拌強度の調整が可能であるため、凝集汚泥を最適な凝集汚泥に成長させることができる。また、ラインミキサーの強攪拌により、凝集汚泥を生成させるための滞留時間が短くなるから、凝集混和槽の容量を小さくすることができる。従って、汚泥凝集装置の容量も小さくなるから、汚泥濃縮設備をコンパクトにすることができ、また省電力に寄与することができる。
【００１５】
本発明の請求項２に係る汚泥濃縮設備または請求項６に係る汚泥濃縮方法によれば、混和した凝集汚泥を凝集混和槽から脱水機能を有する無端状のベルトに直接供給して濃縮する。従って、凝集汚泥がつぶれ難く、汚泥への凝集剤の添加量を削減することができるから、汚泥濃縮処理コストの低減に対して大いに寄与することができるという優れた効果を得ることができる。
【００１６】
本発明の請求項３，４に係る汚泥濃縮設備または請求項７に係る汚泥濃縮方法によれば、凝集混和槽は、前記ベルトの凝集汚泥供給口側に、前記一対のローラを支持するベルト型濃縮機の本体フレームと一体的に構成され、かつ凝集汚泥がベルトの方向に略水平流動させてベルトに供給するものである。従って、凝集汚泥がつぶれ難いから凝集剤の添加量を削減することができる。さらに、汚泥供給装置が不要であるから、汚泥濃縮設備をコンパクトにすることができる。
【００１７】
本発明の請求項８に係る汚泥濃縮方法によれば、凝集混和槽における凝集汚泥の滞留時間は、２０〜６０秒であるから、凝集混和槽の容量を小さくすることができる。従って、汚泥凝集装置の容量も小さくなるから、汚泥濃縮設備をコンパクトにすることができ、また省電力にも寄与することができる。
【発明を実施するための最良の形態】
【００１８】
本発明の実施の形態に係る汚泥濃縮設備を、汚泥をろ過して濃縮するベルト型濃縮機を備えた汚泥濃縮設備を例として、添付図面を参照しながら説明する。図１は、本発明の実施の形態に係る汚泥濃縮設備の模式的構成説明図である。
【００１９】
図１に示す符号１は、本発明の実施の形態に係る汚泥濃縮設備である。この汚泥濃縮設備１は、図示しない汚泥貯留槽から送られてきた汚泥を受入れると共に、受入れた汚泥に凝集剤を添加して混合するラインミキサー４と、このラインミキサー４から排出される凝集汚泥が汚泥供給ライン２を介して受け入れる凝集混和槽５とからなる汚泥凝集装置３を備えている。
【００２０】
前記汚泥凝集装置３の一方側を構成するラインミキサー4は、パイプ内に開度調整可能な邪魔板を設けて構成された、周知の構成になるものである。また、この汚泥凝集装置３の他方を構成する凝集混和槽５は、後述するように構成されている。即ち、この凝集混和槽５は、ラインミキサー４から排出された凝集汚泥を供給する汚泥供給ライン２が連通する槽本体５ａを備えている。この槽本体５ａは、後述する構成になるベルト型濃縮機６の本体フレーム６ａと一体的に構成されると共に、底部付近に攪拌用モータＭにより駆動ベルトを介して回転される攪拌車５ｂが配設されている。
【００２１】
前記ベルト型濃縮機６は、一対のローラ６ｄ，６ｅに跨って掛装されて循環される透水機能（脱水機能）を有する無端状のベルト６ｆを備えている。より具体的には、前記ベルト型濃縮機６は、透水機能を有するベルト６ｆの汚泥排出口６ｃ側の駆動ローラ６ｄが、前記凝集混和槽５から凝集汚泥が溢れる（略水平方向に流動する）ように流出する汚泥供給口６ｂ側の従動ローラ６ｅより高位置に支持されると共に、前記ベルト６ｆにより前記凝集汚泥からろ過されたろ過水と、前記ベルト６ｆ洗浄後の洗浄排水とを底部に集水して排水するパン状の集水槽部６ｇとを備えてなる重力式ベルト型ろ過機である。なお、このベルト型濃縮機６の汚泥排出口６ｃから、例えば固形分濃度が４％程度になるまで濃縮されて排出された濃縮汚泥は、次工程に送られる。
【００２２】
以下、本発明の実施の形態に係る汚泥濃縮設備１の作用態様を説明する。即ち、本発明の実施の形態に係る汚泥濃縮設備１の汚泥凝集装置３の場合には、上記のとおり、汚泥と凝集剤を混合するラインミキサー４と、このラインミキサー４の下流側のベルト型濃縮機６の本体フレーム６ａと汚泥供給口６ｂ側に一体的に構成されており、前記ラインミキサー４から排出された凝集汚泥を、汚泥供給ライン２を介して受入れると共に、受入れた凝集汚泥を攪拌する攪拌車５ｂを備えた凝集混和槽５とから構成されている。
【００２３】
従って、本発明の実施の形態に係る汚泥濃縮設備１の汚泥凝集装置３によれば、ラインミキサー４から排出された凝集汚泥を、前記凝集混和槽５内において撹拌車５ｂによって撹拌するのであるから、汚泥と凝集剤とを高効率で混合（混和）して凝集汚泥にすることができる。
【００２４】
因に、汚泥と凝集剤とが完全に混合されるまでの混合（混和）所要時間は、凝集混和槽だけの場合には３分程度である。しかしながら、ラインミキサー４と凝集混和槽５とを組み合わせた本発明の実施の形態に係る汚泥濃縮設備１の汚泥凝集装置３の場合は、凝集混和槽５における凝集汚泥の滞留時間は、２０〜６０秒、凝集汚泥の成長および装置コストの観点の双方から好ましくは２０〜３０秒であり、汚泥と凝集剤との混合所要時間が大幅に短縮されていることが分かった。よって、凝集混和槽５の容量を、従来例に係る凝集混和槽に比べて、極めて小容量にすることができるから、汚泥濃縮設備１をコンパクト化することができる。なお、汚泥と凝集剤との混合状態については、ベルト型濃縮機６の汚泥供給口６ｂからベルト６ｆに供給された凝集汚泥を採取し、採取した凝集汚泥を顕微鏡により観察して凝集汚泥（フロック）の生成状況を調べて確認したものである。
【００２５】
本発明の実施の形態に係る汚泥濃縮設備１の汚泥凝集装置３によれば、この汚泥凝集装置３のラインミキサー４からベルト型濃縮機６に至るまでの間の汚泥供給ライン２の長さを短くすることができ、また、上記のとおり、凝集混和槽５の容量も小容量にすることができる。従って、この汚泥濃縮設備１のコンパクト化に対して大いに寄与することができると共に、汚泥濃縮設備１のイニシャルコストの低減に対しても大いに寄与することができるという効果がある。
【００２６】
さらに、ラインミキサー４から受入れた凝集汚泥を攪拌して凝集汚泥にすると共に、凝集汚泥を上昇させ、略水平方向に流動させて前記ベルト上に供給するため、ベルト上への凝集汚泥の供給の際の圧力や速度がほとんどないから、凝集汚泥が潰れ難く、凝集汚泥の凝集度をそれほど強固にする必要がない。従って、凝集剤の添加量を少なくすることができるから、汚泥濃縮処理コストの低減に大いに寄与することができるという優れた効果を得ることができる。
【実施例】
【００２７】
以下、上記構成になる汚泥濃縮設備１を用いて、薬注率を変えて凝集汚泥の薬注率に対する濃縮汚泥濃度、およびＳＳ（固形物）回収率の調査試験を行った。この調査試験結果は、横軸に薬注率（凝集剤注入率のことで、単位はｗｔ％対ＴＳ（Ｔｏｔａｌ  Ｓｏｌｉｄの頭文字である。）を採り、左縦軸に濃縮汚泥濃度（単位；ｗｔ％）を採り、また右縦軸にＳＳ回収率（単位；ｗｔ％）を採って示す汚泥濃縮結果説明グラフ図の図２に示すとおりである。なお、使用したベルト型濃縮機のサイズは、ローラ軸間距離約３ｍ、ベルト幅約２ｍであり、またベルトはポリエステル繊維製の濾布である。
【００２８】
なお、図２中の黒丸、白丸、黒三角および白三角の各印は、それぞれ下記のことを示すものである。
（１）黒丸印  ；汚泥凝集装置のラインミキサーと凝集混和槽との両者で汚泥を凝集させた凝集汚泥の薬注率に対する濃縮汚泥濃度（実施例に係る濃縮汚泥濃度という）
（２）白丸印  ；汚泥凝集装置のラインミキサー単独で汚泥を凝集させた凝集汚泥の薬注率に対する濃縮汚泥濃度（比較例に係る濃縮汚泥濃度という）
（３）黒三角印；汚泥凝集装置のラインミキサーと凝集混和槽との両者で汚泥を凝集させた凝集汚泥の薬注率に対するＳＳ回収率（実施例に係るＳＳ回収率という）
（白三角印；汚泥凝集装置のラインミキサー単独で汚泥を凝集させた凝集汚泥の薬注率に対するＳＳ回収率（比較例に係るＳＳ回収率という）
【００２９】
また、この調査試験の試験条件は下記のとおりである。
（１）対象汚泥                ；下水処理場の余剰汚泥（最終沈殿池の汚泥）
（２）供給汚泥濃度            ；０．２１〜０．３１ｗｔ％
（３）汚泥処理量              ；１５ｍ３／ｈ
（４）凝集剤の種類            ；Ｃ−６７９７Ｈ（カチオン系凝集剤、メーカー：神鋼環境メンテナンス株式会社）
（５）ベルト速度              ；５．７ｍ／ｍｉｎ
（６）ベルトの傾斜角度        ；２°
（７）凝集汚泥の滞留時間      ；３０秒
【００３０】
図２から良く理解されるように、白丸印で示す比較例に係る濃縮汚泥濃度は、薬注率が０．２８ｗｔ％対ＴＳのときに３．９ｗｔ％であり、そして薬注率が０．１９ｗｔ％対ＴＳのときに３．１ｗｔ％である。これに対して、黒丸印で示す実施例に係る濃縮汚泥濃度は、薬注率が０．２８ｗｔ％対ＴＳのときに４．１ｗｔ％であり、薬注率を０．１８ｗｔまで低減しても濃縮汚泥濃度は殆ど低下していない。
【００３１】
本実施例によれば、薬注率が０．１８ｗｔ％対ＴＳであっても薬注率が０．２８ｗｔ％対ＴＳの比較例の場合よりも濃縮汚泥濃度が優れており、三角印で示すＳＳ回収率に関しても、本実施例の方が比較例の場合よりも優れている。より具体的には、薬注率が０．０７ｗｔ％（０．２５ｗｔ％−０．１８ｗｔ％）少なくなっている。換言すれば、本実施例の場合には、凝集剤の使用量が比較例の場合より２８％（０．０７÷０．２５×１００）低減されており、汚泥濃縮所要コストの大幅な低減に寄与し得ることが示唆されている。
また、ＳＳ回収率についても、本実施例の方が比較例の場合よりも２％程度、僅かであるが優れている。
【００３２】
なお、本発明の実施の形態に係る汚泥濃縮設備１の場合は、濃縮機がベルト型濃縮機である場合を、例として説明した。しかしながら、この形態に限らず、本発明の技術的思想を、例えばベルトプレス、遠心脱水機及びスクリュープレス等の脱水機やスクリュー濃縮機等の濃縮機にも適用可能であり、これらの中では、凝集混和槽を濃縮機本体と一体的に構成可能であるという観点から、ベルト型濃縮機の濃縮汚泥の汚泥排出先側に２枚重ねで複数のローラに掛け回され、濃縮汚泥を挟圧することにより脱水して汚泥ケーキとする、ベルトプレス脱水機に対して好適に適用することができる。また、ボウルを高速回転させてその遠心力で汚泥を脱水する遠心脱水機及び外筒スクリーンとスクリュー軸を差速回転させながら汚泥を濃縮（脱水）するスクリュー濃縮機（スクリュープレス脱水機）に対しても、最適凝集汚泥の生成が容易になり、汚泥凝集装置をコンパクトかつ省電力化できるので、好適に適用することができると考えられる。従って、本発明の技術的思想の適用範囲は、上記形態に係る汚泥濃縮設備に限定されるものではない。
【図面の簡単な説明】
【００３３】
【図１】本発明の実施の形態に係る汚泥濃縮設備の模式的構成説明図である。
【図２】横軸に薬注率（凝集剤注入率のことで、単位はｗｔ％対ＴＳ（トータルソリッド）である。）を採り、左縦軸に濃縮汚泥濃度（単位；ｗｔ％）を採り、右縦軸にＳＳ回収率（単位；ｗｔ％）を採って示す汚泥濃縮結果説明グラフ図である。
【符号の説明】
【００３４】
１…汚泥濃縮設備
２…汚泥供給ライン
３…汚泥凝集装置
４…ラインミキサー
５…凝集混和槽，５ａ…槽本体，５ｂ…攪拌車
６…ベルト型濃縮機（重力式ベルト型ろ過機），６ａ…本体フレーム，６ｂ…汚泥供給口，６ｃ…汚泥排出口，６ｄ…駆動ローラ，６ｅ…従動ローラ，６ｆ…ベルト，６ｇ…集水槽部
Ｍ…撹拌用モータ
【図１】
2007229545.tif 000003
【図２】
2007229545.tif 000004